(57)【要約】【課題】  作業者が一方の設定表示装置の表示項目を切換操作した際に、作業者が他方の設定表示装置の表示項目を切換操作しなくても他方の設定表示装置の表示項目が変更可能とし、射出成形機の操作性を高めることができるようにする。【解決手段】  設定および表示可能な複数の設定表示装置１８，１９が設けられた射出成形機１１において、設定表示装置１８，１９に表示項目を表示する表示処理部２０，２１と、複数の設定表示装置１８，１９のうちの一つから該設定表示装置１８の表示項目を切換操作すると他の少なくとも一つの設定表示装置１９の表示項目を連動して切換可能な表示項目切換部２２と、表示項目Ａ，Ｂを記憶する記憶部２３とを備える。【選択図】図１
2014237290.tif 000002
【特許請求の範囲】
【請求項１】
設定および表示可能な複数の設定表示装置が設けられた射出成形機において、
設定表示装置に表示項目を表示する表示処理部と、
複数の設定表示装置のうちの一つから該設定表示装置の表示項目を切換操作すると他の少なくとも一つの設定表示装置の表示項目を連動して切換可能な表示項目切換部と、
表示項目を記憶する記憶部と、を備えたことを特徴とする射出成形機。
【請求項２】
前記表示項目切換部は、一つの設定表示装置から該設定表示装置の表示項目を切換操作した際、前記表示項目が他の少なくとも一つの設定表示装置の表示項目の切換えが必要な表示項目かどうか判断し、切換えが必要な表示項目であると判断された際にのみ、他の少なくとも一つの設定表示装置の表示項目の切換えを行うものであることを特徴とする請求項１に記載の射出成形機。
【請求項３】
前記表示項目切換部は、前記表示項目切換部は、言語に関する表示項目、型締に関する表示項目、射出に関する表示項目、金型に関する表示項目、設定値と実測値に関する表示項目、成形データに関する表示項目、警報に関する表示項目、および射出成形機の周辺機器に関する表示項目のいずれかについて、連動して切換えを行うかどうか選択可能に設けられていることを特徴とする請求項１または請求項２に記載の射出成形機。
【請求項４】
設定および表示可能な複数の設定表示装置が設けられた射出成形機の制御方法において、
前記複数の設定表示装置のうちの一つから該設定表示装置の表示項目を切換操作すると他の少なくとも一つの設定表示装置の表示項目が連動して切換えられることを特徴とする射出成形機の制御方法。
【発明の詳細な説明】
【技術分野】
【０００１】
本発明は、設定および表示可能な複数の設定表示装置が設けられた射出成形機および射出成形機の制御方法に関するものである。
【背景技術】
【０００２】
設定および表示可能な複数の設定表示装置が設けられた射出成形機については、従来からも実施されている。例えば特許文献１には、第一の射出装置のための第一の表示器および第一の設定器を含む機器を配設した操作盤の側面に設けた開口部に、他の表示器および／または他の設定器を配設し他の射出装置に対応する副操作盤を引出状に設けることが記されている。特許文献１によれば、第一の表示器と第一の設定器が、第二の表示器と第二の設定器に併設されることにより、射出装置相互の成形条件設定値とその実測値に一覧性があり成形条件の追求と監視が極めて容易となるといった効果が記載されている。また特許文献２には、２台の射出成形機１０Ａ，１０Ｂに対応して成形条件の設定並びに状態を表示する設定表示器３，４をそれぞれ備えたものが記載されている。また特許文献２では、射出成形機１０Ａ，１０Ｂからの成形条件等を設定表示器３，４のいずれにも表示切換可能とすることを特徴としている。そして特許文献２によれば、前記特徴を備えることにより、操作性が向上するといった効果が記載されている。
【先行技術文献】
【特許文献】
【０００３】
【特許文献１】実用新案登録３０６３１９３号公報（請求項１、００１２、図１）
【特許文献２】特開２００１−２１９４５６号公報（請求項１、図１、図３）
【発明の概要】
【発明が解決しようとする課題】
【０００４】
しかしながら特許文献１、特許文献２は、それぞれの表示器の表示項目を切換が必要な場合に作業者がそれぞれの設定表示器（設定器）に対して別個に切換操作する必要があるものであった。すなわち作業者は、一方の設定表示器の表示項目を別の表示項目に切換操作した際には、他方の設定表示器についても同様に作業者が切換操作しないと、同じ表示項目を表示することができず、操作性に問題があった。または作業者が一方の設定表示器の表示項目を別の表示項目に切換操作した際に、他方の設定表示器について切換するか切換しないかを選択することができないものであった。従って前記同様に操作性に問題があった。  
【０００５】
そこで本発明では、設定および表示可能な複数の設定表示装置が設けられた射出成形機および射出成形機の制御方法において、作業者が一方の設定表示装置の表示項目を切換操作した際に、作業者が他方の設定表示装置の表示項目を切換操作しなくても他方の設定表示装置の表示項目が変更可能とし、操作性を高めることのできる射出成形機および射出成形機の制御方法を提供することを目的とする。
【課題を解決するための手段】
【０００６】
本発明の請求項１に記載の射出成形機は、設定および表示可能な複数の設定表示装置が設けられた射出成形機において、設定表示装置に表示項目を表示する表示処理部と、複数の設定表示装置のうちの一つから該設定表示装置の表示項目を切換操作すると他の少なくとも一つの設定表示装置の表示項目を連動して切換可能な表示項目切換部と、表示項目を記憶する記憶部と、を備えたことを特徴とする。
【０００７】
本発明の請求項２に記載の射出成形機は、請求項１において、前記表示項目切換部は、一つの設定表示装置から該設定表示装置の表示項目を切換操作した際、前記表示項目が他の少なくとも一つの設定表示装置の表示項目の切換えが必要な表示項目かどうか判断し、切換えが必要な表示項目であると判断された際にのみ、他の少なくとも一つの設定表示装置の表示項目の切換えを行うものであることを特徴とする。
【０００８】
本発明の請求項３に記載の射出成形機は、請求項１または請求項２において、前記表示項目切換部は、言語に関する表示項目、型締に関する表示項目、射出に関する表示項目、金型に関する表示項目、設定値と実測値に関する表示項目、成形データに関する表示項目、警報に関する表示項目、および射出成形機の周辺機器に関する表示項目のいずれかについて、連動して切換えを行うかどうか選択可能に設けられていることを特徴とする。
【０００９】
本発明の請求項４に記載の射出成形機の制御方法は、設定および表示可能な複数の設定表示装置が設けられた射出成形機の制御方法において、前記複数の設定表示装置のうちの一つから該設定表示装置の表示項目を切換操作すると他の少なくとも一つの設定表示装置の表示項目が連動して切換えられることを特徴とする。
【発明の効果】
【００１０】
本発明の設定および表示可能な複数の設定表示装置が設けられた射出成形機は、設定表示装置に表示項目を表示する表示処理部と、複数の設定表示装置のうちの一つから該設定表示装置の表示項目を切換操作すると他の少なくとも一つの設定表示装置の表示項目を連動して切換可能な表示項目切換部と、表示項目を記憶する記憶部と、を備えるので、作業者は一つの設定表示装置の表示項目を切換操作することにより他の設定表示装置の表示項目を切換操作することなく見たい表示項目の表示画面とすることができ、操作性が向上する。また本発明の情報を設定および表示可能な複数の設定表示装置が設けられた射出成形機の制御方法は、前記複数の設定表示装置のうちの一つから該設定表示装置の表示項目を切換操作すると他の少なくとも一つの設定表示装置の表示項目が連動して切換えられるので、作業者は一つの設定表示装置の表示項目を切換操作することにより他の設定表示装置の表示項目を切換操作することなく見たい表示項目の表示画面とすることができ、操作性が向上する。
【図面の簡単な説明】
【００１１】
【図１】本実施形態の射出成形機とその制御装置のブロック図である。
【図２】本実施形態の射出成形機の制御方法を表わすフローチャート図である。
【発明を実施するための形態】
【００１２】
図１、図２により本実施形態の射出成形機１１とその制御方法について説明する。射出成形機１１は、多色成形品を成形する射出成形機であって、第１の射出装置１２と第２の射出装置１３と金型１４を含む型締装置１５から主な駆動部が構成されている。射出成形機１１の制御装置１６は、一般的にはベッド１７の下側の収納スペースに設けられるか射出成形機１１の本体とは別の位置に設けられたものでもよい。射出成形機１１は、それぞれの第１の射出装置１２に対応して第１の設定表示装置１８が設けられ、第２の射出装置１３に対応して第２の設定表示装置１９が設けられている。また射出成形機１１は、固定金型と可動金型からなる金型１４や型締装置１５の数に対応して、複数の設定表示装置を設けるようにしてもよい。
【００１３】
また本発明の射出成形機１１は、射出装置と型締装置をそれぞれ１基づつ備えた一般的な射出成形機であってもよい。一例として型締力が１０００ｔ以上の大型の射出成形機の場合は、作業者の移動距離が長くなるために操作盤側と反操作盤側の両側に設定表示装置が設けられることもある。またいずれか一方の設定表示装置は作業者が持ち運びできるハンディタイプとすることもでき、その場合、無線で直接的または間接的に射出成形機１１と通信される。また射出成形機１１は、射出成形機の情報を主に表示する設定表示装置以外に、射出成形機の周辺機器（例えば温調装置、金型の可動部駆動装置、金型交換装置、材料供給装置、成形品取出装置）の情報を表示するととも設定を行うことのできる設定表示装置を別途に設け、複数の設定表示装置を構成する場合も考えられる。前記において設定表示装置が直接射出成形機１１に取付けられていない場合でも接続されていれば、本発明の射出成形機１１の設定表示装置に含まれる。
【００１４】
本発明において用いられる第１と第２の設定表示装置１８，１９は、液晶のタッチパネル方式の設定表示装置であり、作業者が画面に触れることにより、設定入力（切換操作）が可能であり、同時に画面上に情報の表示もなされる。前記タッチパネルでは数値も画面上のテンキーから入力される。前記設定表示装置１８，１９には、多数の表示項目が切換えられることにより表示可能となっている。表示項目は、前記設定表示装置１８，１９の画面の複数の表示項目のタブの中から選択され、選択された表示項目の画面の中からも更にまた複数の表示項目のタブが選択可能となっている。つまり前記設定表示装置１８，１９における表示項目は、何層もの階層構造となって、各種の表示項目が表示可能となっている。また表示項目の表示方式については、前記設定表示装置１８，１９の画面に射出成形機や周辺機器が絵により表され、前記の絵の一部部分を作業者がタッチすると表示項目が表示されるものや、キーワードを入力することにより表示項目が表示されるものでもよい。更には別の機器から無線または有線による情報送信や、音声認識により表示項目が入力操作でき、表示されるものなど限定はされない。
【００１５】
また第１と第２の設定表示装置１８，１９は、表示機能と設定機能がそれぞれ分離して設けられたものでもよい。液晶パネルまたはＣＲＴディスプレー等の表示装置が表示機能のみしか有さない場合、別途表示装置の下側などに設定装置が設けられ、前記設定装置のボタンから設定入力が行われる。すなわち画面の切換を行う切換ボタンやテンキーは設定表示装置のうちの表示装置とは別途に設けられている。また前記設定表示装置１８，１９は、タッチパネル方式の表示装置からも設定入力可能であるが、別途に設けたテンキーや各種ボタンなどの設定装置からも設定入力可能なものでもよい。また設定表示装置１８，１９がタッチパネルのみであっても、非常停止処理等の一部の操作はボタンにより行われることは言うまでもない。
【００１６】
次に制御装置１６のブロック図について説明する。制御装置１６には、第１の設定表示装置１８に接続されて第１の表示処理部２０が設けられ、第２の設定表示装置１９に接続されて第２の表示処理部２１が設けられている。第１と第２の表示処理部２０，２１は前記設定表示装置１８，１９に表示項目を表示する機能を有するが、本実施形態では、設定入力された情報を演算装置（ＣＰＵ）に取り込む機能も有している。第１の表示処理部２０と第２の表示処理部２１は、具体的には制御装置１６のＩ／Ｏの部分と演算装置のうちの画像処理を受け持つ部分に相当する。また第１の表示処理部２０と第２の表示処理部２１は、表示項目切換部２２に接続されている。
【００１７】
表示項目切換部２２は、複数の設定表示装置１８，１９のうちの一つから該設定表示装置１８の表示項目を切換操作すると他の少なくとも一つの設定表示装置１９の表示項目を連動して自動的に切換可能な機能を有する。また前記表示項目切換部２２は、一つの設定表示装置１８から該設定表示装置１８の表示項目を切換操作した際、前記表示項目が他の少なくとも一つの設定表示装置１９の表示項目の切換えが必要な表示項目かどうか判断し、切換えが必要な表示項目であると判断された際にのみ、他の少なくとも一つの設定表示装置１９の表示項目の切換えを自動的に行う機能も有するようにしてもよい。表示項目切換部２２は、具体的には演算装置のうちの判断処理を受け持つ部分の一部に相当する。
【００１８】
表示項目切換部２２には、記憶部である表示項目記憶部２３に接続されている。表示項目記憶部２３は、具体的には不揮発性メモリであるＲＯＭと揮発性メモリであるＲＡＭが相当し、または場合によっては、制御装置１６に必要に応じて取付けるフラッシュメモリ等の外部記憶装置を含む。表示項目記憶部２３に記憶される情報は射出成形機１１（場合によっては周辺機器を含む）の画面表示に関する全ての情報である。より具体的には表示項目記憶部２３には、言語に関する表示項目、型締に関する表示項目、射出に関する表示項目、金型に関する表示項目、設定値と実測値に関する表示項目、成形データに関する表示項目、警報に関する表示項目、および射出成形機の周辺機器に関する表示項目などが記憶されている。
【００１９】
次に本実施形態の射出成形機１１の制御方法について、主に図２により説明する。図２のフローチャートにおいて表示項目は、Ａ、Ｂにより表わされるが、一例としてＡは第１の射出装置１２に関する表示項目であり、Ｂは第２の射出装置１３に関する表示項目である。
そして一方の設定表示画面１８には、第１の射出装置１２に関する表示項目Ａ（標準的な表示項目）が表示されており、他方の設定表示画面にも、第１の射出装置１２に関する表示項目Ａ（オプション（客先対応）の表示項目）が表示されている（Ｓ１）。この状態から作業者が、第１の設定表示装置１８のタッチパネルを操作し、第１の射出装置１２に関する表示項目Ａ（標準的な表示項目）を、第２の射出装置１３に関する表示項目Ｂ（標準的な表示項目）に切換操作する（Ｓ２）。すると第１の設定表示装置１８の表示画面は、第１の表示処理部２０の画像処理により、第２の射出装置１３に関する表示項目Ｂ（標準的な表示項目）に切換表示される（Ｓ３）。それと略同時に演算装置である表示項目切換部２２では、第２の射出装置１３に関する表示項目Ｂが第２の設定表示装置１９の表示画面を表示項目Ａから表示項目Ｂへ切換える表示項目かどうかが判断する（Ｓ４）。そして表示項目Ｂが第２の設定表示装置１９の表示画面を切換える表示項目であると判断した場合（Ｙの場合）、第２の設定表示装置１９に接続される第２の表示処理部２１へは表示項目Ａ（オプション（客先対応）の表示項目）を表示項目Ｂ（オプション（客先対応）の表示項目）に切換える指令が出される（Ｓ５）。すると第２の表示処理部２１による画像処理により第２の設定表示装置１９の表示画面は表示項目Ａ（オプション（客先対応）の表示項目）から表示項目Ｂ（オプション（客先対応）の表示項目）に切換られ、第１の設定表示装置１８の設定項目も第２の設定表示装置１９の設定項目も共に第２の射出装置１３に関する表示項目Ｂとなる（Ｓ６）。
【００２０】
前記の射出装置１２，１３の設定表示が表示項目の場合、表示項目の切換操作により、第２の設定表示装置１９も切換えられる。しかし他の表示項目であって、表示項目切換部２２において、表示項目Ｂが第２の設定表示装置１９の表示画面を切換える表示項目ではないと判断された場合（Ｎの場合）、第２の表示処理部２１に切換え指令は出されず、第２の設定表示装置１９の表示画面の表示項目はＡのまま変更されない。その結果、第１の設定表示装置１８の表示画面の設定項目はＢに切換えられるが、第２の設定表示装置１９の表示画面の設定項目はＡのままとなる（Ｓ７）。図２のフローチャートにおいては、作業者が第１の設定表示装置１８の側から表示項目を切換入えたことに対応して、第２の設定表示装置１９が切換えられる例（または切換えられない例）について記載したが、作業者が第２の設定表示装置１９の側から表示項目を切換えたことに対応して、第１の設定表示装置１８が切換えられる例（または切換えられない例）についても同様に行われる。  
【００２１】
また射出成形機が設定表示装置を３以上の複数有する場合、そのうちの一つの設定表示装置の表示項目を切換操作すると表示項目切換部２２により、他の少なくとも一つの設定表示装置の表示項目が連動して切換え可能に設けられる。具体的には射出成形機に設定表示装置が三つある場合、一つの設定表示装置の表示項目を切換操作に対して、他の一つの設定表示装置だけを自動的に切換えてもよいし、他の二つ（全部）の設定表示装置を自動的に切換えるようにしてもよく、更には設定により他の二つ（全部）の設定表示装置の表示項目が切換えられないようにしてもよい。
【００２２】
本発明の射出成形機１１では、言語に関する表示項目、型締に関する表示項目、射出に関する表示項目、金型に関する表示項目、設定値と実測値に関する表示項目、成形データに関する表示項目、警報に関する表示項目、および射出成形機の周辺機器に関する表示項目のいずれかについて、連動して切換えを行うかどうか選択可能に設けられている。そして表示項目のうち言語に関する表示項目、各装置部分の設定画面と実測画面（またはボタンなどの状態を見る画面）に関する成形データに関する表示項目などは、一つの設定表示装置１８の表示項目が切換操作されると他の設定表示装置１９の表示項目も全て自動的に切換えられることが望ましい。具体的には設定表示装置１８，１９の言語（表示項目）は、日本語、英語、中国語、韓国語、スペイン語等の言語に対応可能となっているが、そのうちの一つの設定表示装置１８の言語が作業者により変更されると他の設定表示装置１９も変更した言語（表示項目）に自動的に変更される。また一つの設定表示装置１８の表示画面が一例として型締に関する設定値の表示と入力を行う画面であり、他の設定表示装置１９の表示画面が紐付けして型締に関する実測値の画面を表示している場合も同様に、一方の設定表示装置１８の表示画面を一例として射出（計量を含む）に変更すると、他の設定表示装置１９の表示画面も自動的に連動して、射出（計量を含む）に関する実測値の画面に変更される。また一方の設定表示装置１８を金型交換モードに関する表示項目とすれば、他の設定表示装置１９も連動して金型交換の動作設定や金型交換の状態の確認が行える画面に自動的に変更される。更には一方の設定表示装置１８の表示画面からの設定入力値に基づいて、他方の設定表示装置１９に成形のシミュレーション結果や警報などを表示する場合も各装置の設定区分ごとに表示項目の切換えが連動して行われる。
【００２３】
更には一例として、一つの設定表示装置１８の表示画面が一例として第１の射出装置１２の射出（計量を含む）に関する設定値の表示と入力を行う画面であり、他の設定表示装置１９の表示画面が第２の射出装置１３の射出（計量を含む）に関する設定値の表示と入力を行う画面である場合、一つの設定表示装置１８の表示画面を第１の射出装置１２の加熱筒の温度の設定と実測値表示の画面に変更した場合に、他の設定表示装置１９の表示画面は自動的に連動して、第２の射出装置１３の加熱筒の温度の設定と実測値の表示の画面に切換えられるようにしてもよく、そのまま第２の射出装置１３の射出（計量を含む）に関する設定値の表示と入力を行う画面が維持されるようにしてもよい。またそれらの連動切換は、オプションにより、作業者が連動切換有り、無しを選択入力可能としてもよい。更にまた設定表示装置１８，１９の表示画面の連動切換えは、作業者が入力操作しない側の設定表示装置１９の表示項目を基準にしてもよい。即ち一方の設定表示装置１８を作業者が入力切換えしても、他方の設定表示装置１９が切換わるか切換わらないかは、他方の設定表示装置の表示項目を判断材料にして決定されるようにしてもよい。
【００２４】
また二つの設定表示装置１８，１９が並列または近い位置にあり、一つの設定表示装置１８の表示画面では情報量が多すぎて表示できない表示項目については、一方の設定表示装置１８で設定入力を行うと、前半部分は一方の設定表示装置１８の表示画面、後半部分は他方の設定表示装置１９の表示画面に表示させるようにしてもよい。二つの設定表示装置１８，１９を並設する場合については、大画面のタッチパネルからなる設定表示装置を１つ設けることも考えられる。しかし次のような理由から、二つの設定表示装置１８，１９を並設するほうが有利な場合も多い。（１）大型のタッチパネルは特殊でありコストアップに繋がるが、射出成形機に標準的に使用される大きさ（対角寸法１０〜２０インチ程度）のタッチパネルを２枚設けたほうがコストダウンできる場合。（２）標準的な機能と、客先対応の機能とがそれぞれ別に設けられ、それぞれの機能ごとに設定表示装置を設ける場合。（３）前記（２）にも関連するが、それぞれの設定表示装置（タッチパネル）ごとに制御装置の処理機能（ソフトウエアまたはハードウエア）が設計されている場合、制御装置の処理機能との関係から設定表示装置も二つとしたほうが望ましい場合。
【００２５】
そして上記のように設定表示装置１８，１９が連動して切換えられる場合に、作業者は、複数設けられた設定表示装置１８，１９のうちの一つを切換操作すれば、他の設定表示装置はいちいち自分の望む表示項目を探して切換操作する必要がなくなり１アクションで済むので、操作性がよくなる。また一方の設定表示装置１８の表示項目に連動して他方の設定表示装置１９の表示項目を自動的に表示されるため、他の設定表示装置１９に表示可能となっている関連情報がすぐに確認でき、チェック漏れや機械停止時間の減少が図れる場合も多い。
【産業上の利用可能性】
【００２６】
本発明については、一々列挙はしないが、上記した本実施形態のものに限定されず、当業者が本発明の趣旨を踏まえて変更を加えたものについても、適用されることは言うまでもないことである。射出成形機については、横方向に型締される横型射出成形機以外に、竪方向に型締される竪型射出成形機であってもよい。射出成形機により成形される材料も樹脂材料の他、金属材料（ダイカスト成形）でもよく、限定されない。
【符号の説明】
【００２７】
１１  射出成形機
１２  第１の射出装置
１３  第２の射出装置
１６  制御装置
１８  第１の設定表示装置
１９  第２の設定表示装置
２０  第１の表示処理部
２１  第２の表示処理部
２２  表示項目切換部
２３  表示項目記憶部（記憶部）
【図１】
2014237290.tif 000003
【図２】
2014237290.tif 000004